(57)【特許請求の範囲】
【請求項１】
箱型に組み立てられた状態から、最初に、底部方向に倒される一方の相対する側壁と、該一方の相対する側壁に次いで、後から底部方向に倒されるもう一方の相対する側壁とを有し、前記最初に倒される一方の相対する側壁には、該側壁の板状部を外側に延在することにより、嵌合突部が突設された係合枠が形成されており、また、前記後から倒されるもう一方の相対する側壁の両端部には、前記側壁の板状部に略垂直で、且つ、嵌合孔が形成されている係合枠が形成されているとともに、前記後から倒されるもう一方の相対する側壁の板状部には、前記係合枠側に自由端部を有し、且つ、その先端部に係合突部が突設されている弾性舌片が形成されており、箱型に組み立てられた際には、前記最初に倒される一方の相対する側壁の係合枠に形成された嵌合突部が、前記後から倒されるもう一方の相対する側壁の係合枠に形成された嵌合孔に嵌合され、且つ、前記後から倒されるもう一方の相対する側壁の係合枠に形成された弾性舌片の係合突部が、前記前記最初に倒される一方の相対する側壁の係合枠に形成された係止片に当接することにより、前記前記最初に倒される一方の相対する側壁が底部方向に倒れないように構成された折り畳みコンテナーにおいて、前記最初に倒される一方の相対する側壁には、上下動可能な操作部と、該操作部の両端部に回動可能に取り付けられた梃子部とからなるロック解除部材が配設されており、また、前記後から倒されるもう一方の相対する側壁の係合枠に形成された弾性舌片の係合突部の下面には、該係合突部の先端に向かうに従って上方に傾斜した傾斜面が形成されており、前記後から倒されるもう一方の相対する側壁に形成された係合枠と前記最初に倒される一方の相対する側壁に形成された係合枠とが係合し、また、前記最初に倒される一方の相対する側壁の係合枠に形成された嵌合突部が、前記後から倒されるもう一方の相対する側壁の係合枠に形成された嵌合孔に嵌合され、更に、前記後から倒されるもう一方の相対する側壁の係合枠に形成された弾性舌片の係合突部が、前記前記最初に倒される一方の相対する側壁の係合枠に形成された係止片に当接したロック状態においては、前記梃子部の先端部に突設された押出突部が、前記後から倒されるもう一方の相対する側壁の係合枠に形成された弾性舌片の係合突部の下面に形成された傾斜面に当接するように配置することにより、前記梃子部の押出突部が下方に位置する前記梃子部が傾斜するように構成されており、また、前記操作部を下動させて、前記梃子部の先端部に突設された押出突部を上動させて、前記弾性舌片を外側に弾性変形させることにより、前記ロック状態を解除した際には、前記梃子部が、傾斜状態から回動して、略水平状態となるように構成されていることを特徴とする折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短側壁を立てることにより、箱型に組み立てられ、また、折り畳む際には、底部の上に重なるように、長側壁及び短側壁を折り畳むようにした折り畳みコンテナーが知られており、箱型に組み立てられ状態においては、長側壁或いは短側壁が、底部方向に倒れないように、互いに、係合機構により、ロックされるように構成されている。
【０００３】
短側壁に配設された操作部を下動させて、水平状態の長棒状の係合突起を、短側壁に突設された側壁凸部を支点に傾動させることにより、短側壁と長側壁の係合機構による係合状態を解除するように構成された折り畳みコンテナーが、特許文献１に開示されている。
【０００４】
【特許文献１】特開２００３−４０２６３号公報
【発明の開示】
【発明が解決しようとする課題】
【０００５】
上述した従来の折り畳みコンテナーにおいては、短側壁と長側壁に配設された係合機構による短側壁と長側壁のロック状態においては、長棒状の係合突起が水平状態にあり、短側壁と長側壁の係合機構によるロック状態を解除する際には、長棒状の係合突起を傾動させることになるが、長棒状の係合突起を、水平状態から傾動させると、長棒状の係合突起の先端部が、係合機構から遠ざかることになり、長棒状の係合突起による係合機構のロック状態の解除作業が失敗するという問題があった。
【０００６】
本発明の目的は、上述した従来の折り畳みコンテナーが有する課題を解決することにある。
【課題を解決するための手段】
【０００７】
本発明は、上述した目的を達成するために、箱型に組み立てられた状態から、最初に、底部方向に倒される一方の相対する側壁と、該一方の相対する側壁に次いで、後から底部方向に倒されるもう一方の相対する側壁とを有し、前記最初に倒される一方の相対する側壁には、該側壁の板状部を外側に延在することにより、嵌合突部が突設された係合枠が形成されており、また、前記後から倒されるもう一方の相対する側壁の両端部には、前記側壁の板状部に略垂直で、且つ、嵌合孔が形成されている係合枠が形成されているとともに、前記後から倒されるもう一方の相対する側壁の板状部には、前記係合枠側に自由端部を有し、且つ、その先端部に係合突部が突設されている弾性舌片が形成されており、箱型に組み立てられた際には、前記最初に倒される一方の相対する側壁の係合枠に形成された嵌合突部が、前記後から倒されるもう一方の相対する側壁の係合枠に形成された嵌合孔に嵌合され、且つ、前記後から倒されるもう一方の相対する側壁の係合枠に形成された弾性舌片の係合突部が、前記前記最初に倒される一方の相対する側壁の係合枠に形成された係止片に当接することにより、前記前記最初に倒される一方の相対する側壁が底部方向に倒れないように構成された折り畳みコンテナーにおいて、前記最初に倒される一方の相対する側壁には、上下動可能な操作部と、該操作部の両端部に回動可能に取り付けられた梃子部とからなるロック解除部材が配設されており、また、前記後から倒されるもう一方の相対する側壁の係合枠に形成された弾性舌片の係合突部の下面には、該係合突部の先端に向かうに従って上方に傾斜した傾斜面が形成されており、前記後から倒されるもう一方の相対する側壁に形成された係合枠と前記最初に倒される一方の相対する側壁に形成された係合枠とが係合し、また、前記最初に倒される一方の相対する側壁の係合枠に形成された嵌合突部が、前記後から倒されるもう一方の相対する側壁の係合枠に形成された嵌合孔に嵌合され、更に、前記後から倒されるもう一方の相対する側壁の係合枠に形成された弾性舌片の係合突部が、前記前記最初に倒される一方の相対する側壁の係合枠に形成された係止片に当接したロック状態においては、前記梃子部の先端部に突設された押出突部が、前記後から倒されるもう一方の相対する側壁の係合枠に形成された弾性舌片の係合突部の下面に形成された傾斜面に当接するように配置することにより、前記梃子部の押出突部が下方に位置する前記梃子部が傾斜するように構成されており、また、前記操作部を下動させて、前記梃子部の先端部に突設された押出突部を上動させて、前記弾性舌片を外側に弾性変形させることにより、前記ロック状態を解除した際には、前記梃子部が、傾斜状態から回動して、略水平状態となるように構成したものである。
【発明の効果】
【０００８】
一方の相対する側壁ともう一方の相対する側壁とがロック状態においては、梃子部が傾斜しており、一方の相対する側壁ともう一方の相対する側壁とがロック解除状態においては、梃子部が略水平状態に位置するようにしたので、梃子部が、一方の相対する側壁ともう一方の相対する側壁のロック解除時点において、後から底部方向に倒されるもう一方の相対する側壁方向に、より突出することになるので、確実に、後から底部方向に倒されるもう一方の相対する側壁に形成された弾性舌片を外側に弾性変形させることができ、従って、一方の相対する側壁ともう一方の相対する側壁とのロック解除を、確実に、且つ、迅速に行うことができる。
【実施例】
【０００９】
以下に、本発明の実施例について説明するが、本発明の趣旨を越えない限り、何ら、本実施例に限定されるものではない。
【００１０】
本発明の折り畳みコンテナーの全体構成は、図１〜図３に示されているように、底部１と、底部１の相対する長辺側土手部１ａにヒンジ連結された長側壁２と、底部１の相対する短辺側土手部１ｂにヒンジ連結された短側壁３とから構成されており、本実施例においては、長辺側土手部１ａの高さは、短辺側土手部１ｂの高さより高く構成されている。
【００１１】
図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されており、また、図３に示されている状態から、図２に示されているように、長側壁２を、略垂直に立て、次いで、短側壁３を略垂直に立てることにより、図１に示されているように、折り畳まれていた折り畳みコンテナーを、箱型に組み立てることができるように構成されている。
【００１２】
次に、図２、図４及び図５を用いて、長側壁２について説明する。
【００１３】
長側壁２は、横長の略長方形状の板状部２ａを有しており、長側壁２の両垂直端には、板状部２ａに略垂直で、且つ、板状部２ａの内面（折り畳みコンテナーを箱型に組み立てた際に、箱型に組み立てられた折り畳みコンテナーの内側に位置する面）２ａ１に対して、略垂直な縦長の長側壁側係合枠２ｂが形成されており、長側壁側係合枠２ｂには、上下方向に所定の間隔を置いて、板状部２ａに略平行な嵌合孔２ｂ１が、適当数、形成されている。本実施例には、３個の嵌合孔２ｂ１が形成されている例が示されている。
【００１４】
長側壁側係合枠２ｂ付近に位置する板状部２ａの両端部付近には、上下方向に所定の間隔を置いて形成された水平溝部２ｃ１と、水平溝部２ｃ１の係合枠２ｂ側に位置する端部を連結する垂直溝２ｃ２とからなる略コの字状のスリット２ｃが形成されており、長側壁２の板状部２ａに、このようなスリット２ｃを形成することにより、長側壁２には、長側壁側係合枠２ｂ側に自由端部を有する弾性舌片４が形成されている。また、弾性舌片４の先端部には、板状部２ａの内面２ａ１から突出する方向に延在する係合突部４ａが突設されており、係合突部４ａの板状部２ａの内面２ａ１側の側面には、弾性舌片４の先端に向かうに従って、上方に傾斜した傾斜面４ａ１が形成されているとともに、係合突部４ａの長側壁側係合枠２ｂと対向する先端面４ａ２は、係合枠２ｂに略平行な垂直面として形成されている。また、係合突部４ａの下面は、係合突部４ａの先端に向かうに従って、上方に傾斜した傾斜面４ａ３が形成されている。なお、以下においては、係合突部４ａの側面に形成された傾斜面４ａ１を、傾斜側面４ａ１と称し、係合突部４ａの下面に形成された傾斜面４ａ３を、傾斜下面４ａ３と称することとする。
【００１５】
次に、図１及び図６を用いて、短側壁３について説明する。
【００１６】
短側壁３は、略方形状の板状部３ａを有しており、板状部３ａの上下端には、板状部３ａの外面（図１に示されているように、折り畳みコンテナーを箱型に組み立てた際に、折り畳みコンテナーの外側に位置する面）３ａ１に対して略垂直方向に延在する上端水平リブ３ｂ及び下端水平リブ３ｃが、それぞれ形成されており、また、上端水平リブ３ｂの両端部と下端水平リブ３ｃの両端部とは、側端リブ３ｄにより連結されている。
【００１７】
短側壁３には、板状部３ａの上部領域或いは全体を、側端リブ３ｄを越えて外側に延在することにより、縦長の短側壁側係合枠３ｅが形成されており、短側壁側係合枠３ｅには、長側壁２の長側壁側係合枠２ｂに穿設された嵌合孔２ｂ１に嵌合可能な嵌合突部３ｆが突設されている。本実施例においては、長側壁２の係合枠２ｂに穿設された３個の嵌合孔２ｂ１に対応して、３個の嵌合突部３ｆが形成されている例が示されている。
【００１８】
側端リブ３ｄの短側壁側係合枠３ｅ側に位置する面（以下、外面という。）３ｄ１の上部で、且つ、側端リブ３ｄの先端３ｄ２付近には、先端３ｄ２に沿って、且つ、側端リブ３ｄに略垂直な板状の係止片３ｇが形成されており、また、必要に応じて、係止片３ｇと側端リブ３ｄの外面３ｄ１とにより形成される隅部には、略水平な補強水平片３ｄ３が形成されている。本実施例においては、係止片３ｇが、短側壁側係合枠３ｅに突設された嵌合突部３ｆのうち、一番上に位置する嵌合突部３ｆの下方近傍で、且つ、上から２番目に位置する嵌合突部３ｆの上方近傍に形成されている例が示されている。また、係止片３ｇが位置する側端リブ３ｄには、縦長の長方形状のスリット３ｈが穿設されているとともに、係止片３ｇの裏側に位置する短側壁側係合枠３ｅは、略方形状に切り欠かれており、切欠き凹部３ｅ’が形成されている。
【００１９】
上端水平リブ３ｂの下方に位置する板状部３ａには、上端水平リブ３ｂと略平行に、板状部３ａの外面３ａ１に対して略垂直方向に延在する上部水平リブ３ｉが形成されている。また、上端水平リブ３ｂと上部水平リブ３ｉとは、側端リブ３ｄ付近において、支点用垂直リブ３ｊにより連結されており、支点用垂直リブ３ｊには、縦長の長方形状のスリット３ｋ１が形成されており、また、スリット３ｋ１が形成された支点用垂直リブ３ｊの中央部に位置する端面には、切欠き凹部３ｋ２が形成されている。なお、支点用垂直リブ３ｊは、スリット３ｋ１を除いて、板状部３ａに連接されている。
【００２０】
また、上端水平リブ３ｂと上部水平リブ３ｉとは、側端リブ３ｄ付近において、且つ、上述した支点用垂直リブ３ｊより、板状部３ａの中央部寄りに位置する垂直リブ３ｍにより連結されており、垂直リブ３ｍと板状部３ａとの間には、間隙３ｎが形成されているとともに、板状部３ａと対向する垂直リブ３ｍの端面の中央部には、切欠き凹部３ｎ１が形成されている。垂直リブ３ｍに形成された切欠き凹部３ｎ１と上述した支点用垂直リブ３ｊに形成された切欠き凹部３ｋ２とは、側端リブ３ｄから見て、略一致するように構成されている。
【００２１】
上述した一対の垂直リブ３ｍ間に位置する上端水平リブ３ｂには、所定の間隔を置いて、一対の垂下リブ３ｐが形成されており、垂下リブ３ｐの下端部には、側端リブ３ｄ方向に略水平に延在する弾性条片用支持突片３ｐ１が延設されている。また、垂下リブ３ｐの垂直端には、板状部３ａの中央部方向に突出した垂直係止突条３ｐ２が形成されている。
【００２２】
次に、図７及び図８を用いて、１個の操作部Ｌ１と２本の梃子部Ｌ２とから構成されるロック解除部材Ｌの操作部Ｌ１について説明する。
【００２３】
操作部Ｌ１は、横長の前板５ａを有しており、前板５ａの両端には、前板５ａの裏面（操作部Ｌ１を、短側壁３に配設した際に、板状部３ａと対向する面）５ａ１に対して略垂直な側板５ｂが形成されている。側板５ｂの上下端部で、且つ、側板５ｂの外面には、外面から突出した一対の係合片５ｃが形成されており、また、一対の係合片５ｃ間に位置する側板５ｂには、側板５ｂの先端から前板５ａ方向に延在する縦長の凹部５ｂ１が形成されており、このような凹部５ｂ１を形成することにより、側板５ｂの上下端部には、上部水平部５ｂ２と下部水平部５ｂ３とが形成されることになる。換言すれば、上部水平部５ｂ２と下部水平部５ｂ３とに、それぞれ、係合片５ｃが突設されており、上部水平部５ｂ２及び下部水平部５ｂ３は、弾性変形可能なように構成されている。
【００２４】
上述した側板５ｂを形成する上部水平部５ｂ２には、前板５ａの中央部方向に略水平に延在する上部短リブ５ｄ１が形成されており、また、側板５ｂを形成する下部水平部５ｂ３には、同じく、前板５ａの中央部方向に略水平に延在する、上部短リブ５ｄ１と同様の下部短リブ５ｄ２が形成されている。また、上部短リブ５ｄ１の先端部と下部短リブ５ｄ２の先端部とは、前板５ａの中央部方向に、略くの字状に突出した屈曲リブ５ｅにより連結されている。上記の上部短リブ５ｄ１、下部短リブ５ｄ２及び屈曲リブ５ｅは、それぞれ、前板５ａの裏面５ａ１に、裏面５ａ１に対して、略垂直に連接されているとともに、上部短リブ５ｄ１、下部短リブ５ｄ２及び屈曲リブ５ｅの高さ（前板５ａの裏面５ａ１からの距離）は、それぞれ、側板５ｂの高さ（前板５ａの裏面５ａ１からの距離）と略同じに形成されている。
【００２５】
５ｆは、前板５ａの裏面５ａ１に突設されたガイドリブであり、ガイドリブ５ｆの高さ（前板５ａの裏面５ａ１からの距離）は、側板５ｂの上部水平部５ｂ２と下部水平部５ｂ３とを連結する垂直連結部５ｂ４の高さ（前板５ａの裏面５ａ１からの距離）と略同じに形成されており、側板５ｂや上部短リブ５ｄ１や下部短リブ５ｄ２や屈曲リブ５ｅの高さ（前板５ａの裏面５ａ１からの距離）の略半分程度の高さに形成されている。本実施例においては、ガイドリブ５ｆは、上部短リブ５ｄ１と下部短リブ５ｄ２とを連結する垂直部５ｆ１と、垂直部５ｆ１の中央部から側板５ｂまで延在する、互いに略平行な一対の水平部５ｆ２とにより形成されている。また、一対の水平部５ｆ２間に位置する側板５ｂの中央部には、切欠き凹部５ｂ５が形成されている。そして、上述した屈曲リブ５ｅとガイドリブ５ｆの垂直部５ｆ１と前板５ａとにより、嵌合凹部５ｇが形成されている。なお、必要に応じて、ガイドリブ５ｆの垂直部５ｆ１と切欠き凹部５ｂ５が形成されている側板５ｂとを連結する補強水平リブ５ｈを形成することもできる。
【００２６】
５ｉは、上述した屈曲リブ５ｅの上端部から、前板５ａの中央部方向に、且つ、水平方向或いは下方に傾斜して延在する弾性条片である。５ｊは、前板５ａの中央領域を、後方に膨出させることにより形成された箱型の把手用凹部であり、把手用凹部５ｊは、天板５ｊ１と底板５ｊ２と相対する側板５ｊ３と奥板５ｊ４とから形成されている。５ｋは、側板５ｊ３の外面（屈曲リブ５ｅと対向する面）に形成された楔状の係合フックであり、把手用凹部５ｊの側板５ｊ３に沿って、幅狭な凹部５ｊ５を形成することにより、係合フック５ｋに弾性を付与することが好ましい。５ｍは、嵌合凹部５ｇ内に位置する前板５ａに穿設された組み付け確認用透孔であり、５ｎは、屈曲リブ５ｅの下部と把手用凹部５ｊの側板５ｊ３とを連結する水平底部リブであり、把手用凹部５ｊの底板５ｊ２と、略面一に形成されている。
【００２７】
次に、図９及び図１０を用いて、ロック解除部材Ｌを構成する梃子部Ｌ２について説明する。
【００２８】
梃子部Ｌ２は、横長の箱状基部６’を有しており、横長の箱状基部６’は、傾斜段差部６ａ１を介して、前方平坦板部６ａ２と後方平坦板部６ａ３とからなる帯状板状部６ａを有しており、また、帯状板状部６ａの周辺には、帯状板状部６ａに対して略垂直で、且つ、端面６ｂ１が面一な周壁部６ｂが形成されている。横長の箱状基部６’を、このような帯状板状部６ａと周壁部６ｂとにより形成することにより、横長の箱状基部６’には、傾斜段差部６ａ１を挟んで、前方平坦板部６ａ２側に位置する肉厚部６ｃと後方平坦板部６ａ３側に位置する肉薄部６ｄとが形成されている。なお、後方平坦板部６ａ３の先端部は、略半円形状に形成されており、この略半円形状に形成された先端部に位置する周壁部６ｂは、略半円筒状周壁６ｂ２に形成されており、従って、肉薄部６ｄの先端部は、略円筒状の湾曲面６ｄ１として形成されている。また、肉薄部６ｄを構成する後方平坦板部６ａ３の先端部には、後方平坦板部６ａ３に略垂直な嵌合突部６ｅが突設されている。
【００２９】
肉厚部６ｃの先端部側に位置する周壁部６ｂには、横長の箱状基部６’の長手方向中心線に沿って、押出突部６ｆが突設されている。なお、６ｇは、肉薄部６ｄを構成する周壁部６ｂの相対する平行周壁６ｂ３を架橋する補強架橋リブであり、６ｈは、肉厚部６ｃの先端部側に位置する周壁部６ｂの内面に連結されているとともに、周壁部６ｂの相対する平行周壁６ｂ３に沿って形成された補強リブであり、このような補強架橋リブ６ｇや補強リブ６ｈは、必要に応じて、適宜、省略することができる。
【００３０】
また、上述した短側壁３の側端リブ３ｄに形成された長方形状のスリット３ｈは、梃子部Ｌ２のどの部分も挿通可能なように構成されており、また、支点用垂直リブ３ｊに形成されたスリット３ｋ１及び垂直リブ３ｍと板状部３ａとの間に形成された間隙３ｎは、梃子部Ｌ２の肉薄部６ｄは通すが、肉厚部６ｃ及び肉薄部６ｄの先端部に突設された嵌合突部６ｅは通さないように構成されている。
【００３１】
次に、主として、図１１〜図１３を用いて、短側壁３へのロック解除部材Ｌの組み付けについて説明する。
【００３２】
図１１に示されているように、梃子部Ｌ２の肉薄部６ｄが、短側壁３の中央寄りに位置するとともに、梃子部Ｌ２の肉薄部６ｄの先端部に突設された嵌合突部６ｅが外側（短側壁３の板状部３ａと反対側）に位置するように、梃子部Ｌ２を配置する。その後、梃子部Ｌ２の肉薄部６ｄを、短側壁３の側端リブ３ｄに形成された長方形状のスリット３ｈ、支点用垂直リブ３ｊに形成されたスリット３ｋ１及び垂直リブ３ｍと板状部３ａとの間に形成された間隙３ｎに、順次、挿通して、嵌合突部６ｅが突設されている肉薄部６ｄの先端部が、垂直リブ３ｍを越えて位置するように、一対の梃子部Ｌ２を配置する。この梃子部Ｌ２の肉薄部６ｄを、支点用垂直リブ３ｊに形成されたスリット３ｋ１及び垂直リブ３ｍと板状部３ａとの間に形成された間隙３ｎに挿通する際には、梃子部Ｌ２の肉薄部６ｄの先端部に突設された嵌合突部６ｅは、支点用垂直リブ３ｊの中央部に位置する端面に形成された切欠き凹部３ｋ２及び板状部３ａと対向する垂直リブ３ｍの端面に形成された切欠き凹部３ｎ１に挿通されることになる。
【００３３】
次いで、図１１に示されているように、操作部Ｌ１を、前板５ａの裏面５ａ１が、短側壁３の板状部３ａと対向するように配置するとともに、操作部Ｌ１を、短側壁３に接近させる。そして、操作部Ｌ１の弾性条片５ｉの先端部を、短側壁３に形成された弾性条片用支持突片３ｐ１に載置し、また、操作部Ｌ１の側板５ｂを構成する弾性変形可能な上部水平部５ｂ２及び下部水平部５ｂ３に形成された係合片５ｃを、上部水平部５ｂ２及び下部水平部５ｂ３の弾性変形を利用して、短側壁３の垂直リブ３ｍと板状部３ａとの間に形成された間隙３ｎに嵌合し、更に、操作部Ｌ１に形成された係合フック５ｋを、短側壁３の垂下リブ３ｐの垂直端に形成された垂直係止突条３ｐ２に引っ掛けることにより、短側壁３に、操作部Ｌ１と一対の梃子部Ｌ２とからなるロック解除部材Ｌを組み付ける。このように、短側壁３に、ロック解除部材Ｌを組み付けた際には、梃子部Ｌ２の肉薄部６ｄの先端部に突設された嵌合突部６ｅが、操作部Ｌ１を構成する屈曲リブ５ｅとガイドリブ５ｆの垂直部５ｆ１と前板５ａとにより形成される嵌合凹部５ｇに嵌合されるように構成されている。
【００３４】
また、上述したように、短側壁３に、ロック解除部材Ｌが組み付けられた際には、図１３に示されているように、梃子部Ｌ２の肉厚部６ｃの先端に突設された押出突部６ｆが、短側壁３の側端リブ３ｄに形成された係止片３ｇの背後に位置するとともに、押出突部６ｆが、係止片３ｇを越えて、外側に突出しないように構成されている。
【００３５】
上述したように、短側壁３に、ロック解除部材Ｌが組み付けられた際には、図１２及び図１４に示されているように、操作部Ｌ１に形成された把手用凹部５ｊの天板５ｊ１が、短側壁３に形成された弾性条片用支持突片３ｐ１に、その先端部が載置されている操作部Ｌ１の弾性条片４ｉの弾性力により、短側壁３の上端水平リブ３ｂに当接、或いは、上端水平リブ３ｂに接近して位置するように構成されているとともに、梃子部Ｌ２の横長の箱状基部６’の中央部の下面が、支点用垂直リブ３ｊに形成されたスリット３ｋ１を形成する支点用垂直リブ３ｊの下部水平端面３ｊ１に当接するように構成されており、更に、押出突部６ｆが、嵌合突部６ｅより下方に位置するように、梃子部Ｌ２が、操作部Ｌ１側から見て、下方に傾斜するように配置されている。
【００３６】
上述したような構成を有する折り畳みコンテナーを、図１に示されているように、箱型に組み立てた際には、図１５に示されているように、短側壁３に配設されたロック解除部材Ｌを構成する梃子部Ｌ２の押出突部６ｆが、長側壁２に形成された係合突部４ａの傾斜下面４ａ３に当接するように、或いは、傾斜下面４ａ３に接近して位置するように構成されている。また、折り畳みコンテナーが、箱型に組み立てられた際には、短側壁３の短側壁側係合枠３ｅに形成された嵌合突部３ｆが、長側壁２の長側壁側係合枠２ｂに穿設された嵌合孔２ｂ１に嵌合されているとともに、長側壁２に形成された係合突部４ａの先端面４ａ２が、短側壁３の短側壁側係合枠３ｅを構成する係止片３ｇに当接、或いは、接近して位置するように構成されているので、短側壁３が、底部１方向に倒れないように構成されている。この状態が、箱型に組み立てられた折り畳みコンテナーの長側壁２と短側壁３のロック状態である。
【００３７】
以下に、図３に示されているように、折り畳まれた状態の折り畳みコンテナーが、図１に示されているように、箱型に組み立てられる詳細な工程について説明する。
【００３８】
図３に示されているように、折り畳まれた状態の折り畳みコンテナーを，図１に示されているように、箱型に組み立てるには，先ず最初に、略水平状態の長側壁２を、垂直方向に回動させて、図２に示されているように、略垂直に立てる。次いで、底部１に重なるようにして折り畳まれている短側壁３を、垂直方向に回動させると、短側壁３の短側壁側係合枠３ｅが、長側壁２に形成された長側壁側係合枠２ｂに対向するように接近し、短側壁３の短側壁側係合枠３ｅに突設されている嵌合突部３ｆの先端部が、長側壁２の長側壁側係合枠２ｂに形成された嵌合孔２ｂ１に挿入されることになる。この嵌合突部３ｆの嵌合孔２ｂ１への挿入過程と前後して、長側壁２に形成された弾性舌片４に突設されている係合突部４ａの傾斜側面４ａ１に，短側壁３の側端リブ３ｄに形成された係止片３ｇが当接することになる。この状態から、更に，短側壁３を、垂直方向に回動させると、上記の係止片３ｇが，長側壁２に形成された弾性舌片４を外側に弾性変形させ，係止片３ｇが，弾性舌片４に突設されている係合突部４ａを越えた時点で，弾性舌片４は，その復元力により，元に位置に復帰するとともに，弾性舌片４に突設されている係合突部４ａの先端面４ａ２が，短側壁３の側端リブ３ｄに形成された係止片３ｇの背面（切欠き凹部３ｅ’側の面）３ｇ１に当接或いは接近して位置することになる。
【００３９】
上述したようにして，折り畳みコンテナーが箱型に組み立てられた際には，長側壁２に形成された弾性舌片４に突設されている係合突部４ａが，短側壁３の側部リブ３ｄに形成された係止片３ｇの背面３ｇ１に当接或いは接近して位置しているので，短側壁３が，底部１方向に倒れようとしても，短側壁３に形成されている係止片３ｇが，長側壁２に形成されている弾性舌片４を構成する係合突部４ａの先端面４ａ２に当接し，短側壁３の底部１方向への回動が阻止され，従って，短側壁３が，底部１方向に倒れるようなことを防止することができる。このように、長側壁２と短側壁３とのロックは、長側壁２に形成された弾性舌片４の係合突部４ａと短側壁３に形成された係止片３ｇとにより行われ、この長側壁２と短側壁３とのロックには、ロック解除部材Ｌは関与していないので、箱型に組み立てられた状態において、ロック解除部材Ｌに負荷が加わり、ロック解除部材Ｌが損傷するようなことを防止することができる。
【００４０】
図１に示されているように、箱型に組み立てられた折り畳みコンテナーを，図３に示されているように折り畳むには，短側壁３に配設されているロック解除部材Ｌを構成する操作部Ｌ１に形成されている把手用凹部５ｊに手を入れて，その先端部が、短側壁３に形成された弾性条片用支持突片３ｐ１に載置されている弾性条片５ｉを弾性変形させながら，弾性条片５ｉの弾性力に抗して，図１６に示されているように、ロック解除部材Ｌを、短側壁３に形成されている上部水平リブ３ｉ方向に下動させると，その中央部が、支点用垂直リブ３ｊの下部水平端面３ｊ１に当接している梃子部Ｌ２は、支点用垂直リブ３ｊを支点として、下部水平端面３ｊ１より、ロック解除部材Ｌの中央部寄りに位置する嵌合突部６ｅが下動し、支点として機能する下部水平端面３ｊ１より、長側壁２寄りに位置している押出突部６ｆが上動し、梃子部Ｌ２は、図１６や図１７に示されているように、下部水平端面３ｊ１を支点として、略水平状態まで回動することになる。
【００４１】
上述したような、梃子部Ｌ２が、支点用垂直リブ３ｊの下部水平端面３ｊ１を支点として、図１２や図１４に示されている傾斜状態から、図１６や図１７に示されているように、略水平状態まで回動することにより、梃子部Ｌ２の押出突部６ｆが、長側壁２に形成された弾性舌片４に突設されている係合突部４ａの傾斜下面４ａ３に当接し、弾性舌片４を外側に弾性変形させることになる。そして，弾性舌片４を構成する係合突部４ａが、短側壁３の短側壁側係合枠３ｅに形成された係止片３ｇから外れ、長側壁２と短側壁３のロック状態が解除された時点で、短側壁３を，底部１方向に倒して，相対する短側壁３を，底部１に重ねる。その後，長側壁２を，底部１方向に倒して，底部１に重ねられている短側壁３の上に，相対する長側壁２を重ねることにより，図１に示されているように、箱型に組み立てられた折り畳みコンテナーを，図３に示されているように折り畳むことができる。
【００４２】
ところで、ロック解除部材Ｌを構成する梃子部Ｌ２の押出突部６ｆの先端６ｆ１は、図１５に示されている梃子部Ｌ２が傾斜している長側壁２と短側壁３のロック状態に較べて、図１７に示されているように、梃子部Ｌ２が略水平に位置している長側壁２と短側壁３のロック解除状態の方が、より長側壁２方向の突出することになる。
【００４３】
上述したように、長側壁２の長側壁側係合枠２ｂと短側壁３の短側壁側係合枠３ｅとが係合し、長側壁２に形成された弾性舌片４の係合突部４ａと該係合突部４ａに当接する短側壁３の係止片３ｇとにより、短側壁３が、底部１方向に倒れないようにロックされた状態においては、ロック解除部材Ｌを構成する梃子部Ｌ２が傾斜した位置にあり、また、ロック解除部材Ｌを構成する操作部Ｌ１を下動させて、梃子部Ｌ２の押出突部６ｆにより、長側壁２に形成された弾性舌片４を外側に弾性変形させて、長側壁２と短側壁３とのロック状態を解除した時点においては、梃子部Ｌ２が、傾斜状態から回動して、略水平状態となるように構成されているので、従って、上述したように、ロック解除部材Ｌを構成する梃子部Ｌ２の押出突部６ｆの先端６ｆ１が、長側壁２と短側壁３とのロック状態の解除時点において、より長側壁２方向の突出することになるので、確実に、長側壁２に形成された弾性舌片４を外側に弾性変形させることができ、よって、長側壁２と短側壁３のロック解除を、確実に、且つ、迅速に行うことができる。
【００４４】
また、短側壁３に、ロック解除部材Ｌを組み付けた際には、梃子部Ｌ２の肉薄部６ｄの先端部に突設された嵌合突部６ｅが、操作部Ｌ１を構成する屈曲リブ５ｅとガイドリブ５ｆの垂直部５ｆ１と前板５ａとにより形成される嵌合凹部５ｇに嵌合されるように構成されており、また、嵌合凹部５ｇ内に位置する前板５ａには、組み付け確認用透孔５ｍが穿設されているので、嵌合突部６ｅが、嵌合凹部５ｇに嵌合されているかどうかを、組み付け確認用透孔５ｍを通して確認することができるので、短側壁３のロック解除部材Ｌの組み付けが失敗するようなことを防止することができる。
【００４５】
なお、上述した実施例には、折り畳みコンテナーが箱型に組み立てられた状態から、最初に、底部１方向に倒される短側壁３に、ロック解除部材Ｌを配設した例が示されているが、折り畳みコンテナーが箱型に組み立てられた状態から、最初に、長側壁２を、底部１方向に倒し、次いで、短側壁３を、底部１方向に倒すように構成することもできる。いずれにせよ、最初に、底部１方向に倒される側壁に、ロック解除部材Ｌを配設し、後から、底部１方向に倒される側壁に、弾性舌片４が形成されることになる。
【図面の簡単な説明】
【００４６】
【図１】図１は、本発明の折り畳みコンテナーが箱型に組み立てられた状態の斜視図である。
【図２】図２は、本発明の折り畳みコンテナーの組み立て途中或いは折り畳み途中の斜視図である。
【図３】図３は、本発明の折り畳みコンテナーの折り畳まれた状態の斜視図である。
【図４】図４は、本発明の折り畳みコンテナーの長側壁の部分拡大斜視図である。
【図５】図５は、本発明の折り畳みコンテナーの長側壁の更なる部分拡大斜視図である。
【図６】図６は、本発明の折り畳みコンテナーの短側壁の部分拡大斜視図である。
【図７】図７は、本発明の折り畳みコンテナーを構成するロック解除部材の操作部の表面側からの斜視図である。
【図８】図８は、本発明の折り畳みコンテナーを構成するロック解除部材の操作部の裏面側からの斜視図である。
【図９】図９は、本発明の折り畳みコンテナーを構成するロック解除部材の梃子部の表面側からの斜視図である。
【図１０】図１０は、本発明の折り畳みコンテナーを構成するロック解除部材の梃子部の裏面側からの斜視図である。
【図１１】図１１は、本発明の折り畳みコンテナーを構成する短側壁及びロック解除部材の分解斜視図である。
【図１２】図１２は、ロック解除部材が組み付けられた状態の本発明の折り畳みコンテナーの短側壁の外面側から見た部分斜視図である。
【図１３】図１３は、ロック解除部材が組み付けられた状態の本発明の折り畳みコンテナーの短側壁の内面側から見た部分斜視図である。
【図１４】図１４は、ロック解除部材が組み付けられた状態の本発明の折り畳みコンテナーの短側壁の部分正面図である。
【図１５】図１５は、ロック解除部材が組み付けられた状態の本発明の折り畳みコンテナーの一部断面を含む短側壁側からの部分正面図である。
【図１６】図１６は、ロック解除部材が組み付けられた状態の本発明の折り畳みコンテナーの短側壁側からの正面図である。
【図１７】図１７は、図１５と同様のロック解除部材が組み付けられた状態の本発明の折り畳みコンテナーの一部断面を含む短側壁側からの部分正面図である。
【符号の説明】
【００４７】
Ｌ・・・・・・・・・・・ロック解除部材
Ｌ１・・・・・・・・・・操作部
Ｌ２・・・・・・・・・・梃子部
１・・・・・・・・・・・底部
２・・・・・・・・・・・長側壁
２ｂ・・・・・・・・・・長側壁側係合枠
３・・・・・・・・・・・短側壁
３ｅ・・・・・・・・・・短側壁側係合枠
４・・・・・・・・・・・弾性舌片
４ａ・・・・・・・・・・係合突部
【図１】
0004684779.tif 000002
【図２】
0004684779.tif 000003
【図３】
0004684779.tif 000004
【図４】
0004684779.tif 000005
【図５】
0004684779.tif 000006
【図６】
0004684779.tif 000007
【図７】
0004684779.tif 000008
【図８】
0004684779.tif 000009
【図９】
0004684779.tif 000010
【図１０】
0004684779.tif 000011
【図１１】
0004684779.tif 000012
【図１２】
0004684779.tif 000013
【図１３】
0004684779.tif 000014
【図１４】
0004684779.tif 000015
【図１５】
0004684779.tif 000016
【図１６】
0004684779.tif 000017
【図１７】
0004684779.tif 000018